(57)【要約】      （修正有）【課題】共通電極とタッチセンサのメカニズムを両方共に有するタッチ装置を提供する。【解決手段】タッチモード及び共通電極モードを有するタッチ装置１であって、タッチセンサモジュール１０と、複数の第１タッチユニット１２０、及び第１タッチユニットとタッチセンサモジュールを接続する複数の第１配線を含む共通電極層１２と、第１タッチユニットと交錯配列する複数の第２タッチユニット１２２と、第２タッチユニット及びタッチセンサモジュールを接続するための複数の第２配線１２３と、共通電位回路１４と、タッチモードにおいて入れられ（ｃｌｏｓｅ）て、タッチ信号を第１及び第２タッチユニットによって検出、誘導し、タッチセンサモジュールに伝送し、タッチの座標、強度、変化を判断し、共通電極モードにおいて切られ（ｏｐｅｎ）て、各々の第１タッチユニットと共通電位回路とを接続させ、共通電位となる複数の切替スイッチ１６と、を備える。【選択図】図１
2013232189.tif 000002
【特許請求の範囲】
【請求項１】
タッチモード及び共通電極モードを有するタッチ装置であって、
タッチセンサモジュールと、
複数の第１タッチユニット、並びに前記複数の第１タッチユニット及び前記タッチセンサモジュールを接続するための複数の第１配線を含む共通電極層と、
前記複数の第１タッチユニットと交錯配列する複数の第２タッチユニットと、
前記複数の第２タッチユニット及び前記タッチセンサモジュールを接続するための複数の第２配線と、
共通電位回路と、
それぞれ前記複数の第１配線と前記共通電位回路との間に形成されており、前記タッチモードにおいて切られ（ｏｐｅｎ）て、タッチ信号を前記複数の第１タッチユニット及び前記複数の第２タッチユニットによって検出、誘導し、前記タッチセンサモジュールに伝送し、タッチの座標、タッチの強度及びタッチの変化を判断し、前記共通電極モードにおいて入れられ（ｃｌｏｓｅ）て、前記複数の第１タッチユニットの各々と前記共通電位回路とを接続させ、共通電位にする複数の切替スイッチと、
を備えるタッチ装置。
【請求項２】
前記複数の第２タッチユニットは、前記共通電極層に位置して、複数の切替スイッチは前記複数の第２配線と前記共通電位回路との間にも形成されており、前記複数の切替スイッチが前記共通電極モードにおいて入れられて、前記複数の第１タッチユニット及び前記複数の第２タッチユニットの各々を前記共通電位回路と接続させ、共通電位にする請求項１に記載のタッチ装置。
【請求項３】
前記共通電極層と平行に配され、前記共通電極モードにおいて、複数の表示データ及び複数のゲート駆動信号に基づいて、表示画面を提供する薄膜トランジスタ層を更に含む請求項１または２に記載のタッチ装置。
【請求項４】
前記複数の第１タッチユニットと前記複数の第２タッチユニットとの間に、前記薄膜トランジスタ層の光非透過性領域に対応する空き領域を含む請求項３に記載のタッチ装置。
【請求項５】
前記複数の切替スイッチは、前記タッチセンサモジュールの外又は前記タッチセンサモジュールの内に形成されてよい請求項１から４の何れか１項に記載のタッチ装置。
【請求項６】
前記複数の切替スイッチが前記共通電極モードにおいて切られる場合、前記各第１及び第２タッチユニットが前記共通電位回路と接続されることで、さらにアース電位に接続される請求項１から５の何れか１項に記載のタッチ装置。
【請求項７】
前記複数の第１タッチユニットは、複数の第１タッチ行に分けられ、前記複数の第１タッチ行の各々における第１タッチユニットが互いに直接に直列連結となり、最外側の第１タッチユニットによって前記複数の第１配線のうちの対応する第１配線に接続される請求項１から６の何れか１項に記載のタッチ装置。
【請求項８】
前記複数の第２タッチユニットは、複数の第２タッチ列に分けられ、前記複数の第２配線は、
前記共通電極層の外へ延出するように、前記複数の第２タッチユニットの各々と対応して接続される複数の延出部と、
前記複数の第２タッチ列における１つの第２タッチ列に含まれる第２タッチユニットの各々と対応する延出部の各々を接続し、前記タッチセンサモジュール及び前記複数の切替スイッチの１つに接続される複数の接続部と、
を含む請求項１から７の何れか１項に記載のタッチ装置。
【請求項９】
前記複数の接続部は、前記共通電極層と平行である薄膜トランジスタ層における前記共通電位回路に接続される請求項８に記載のタッチ装置。
【請求項１０】
前記延出部は、前記共通電極層の縁まで延出するように、前記複数の第２タッチユニットの１つに接続するための第１セクションと、前記第１セクションを前記複数の接続部の１つに接続する第２セクションと、を含み、前記第１セクションと前記第２セクションは、銀コロイド、銀バンプ、或いは異方性導電接着剤によって接続される請求項８または９に記載のタッチ装置。
【請求項１１】
前記複数の第１タッチユニットは、行方向ストリップ状のタッチユニット、三角形に類似したタッチユニット、又は交錯配列のタッチユニットである請求項１から１０の何れか１項に記載のタッチ装置。
【請求項１２】
前記複数の第１タッチユニット及び前記複数の第２タッチユニットにおいてパターンが形成される請求項１から１１の何れか１項に記載のタッチ装置。
【請求項１３】
前記複数の第１タッチユニットは、正方向に配列する三角形であるが、前記複数の第２タッチユニットは前記正方向と逆の逆方向に配列する三角形であり、前記正方向の三角形の各々及び前記逆方向の三角形の各々は、底辺及び階段状構造を含む２つの側辺を備える請求項１から１２の何れか１項に記載のタッチ装置。
【請求項１４】
前記複数の第１タッチユニット及び前記複数の第２タッチユニットは、フォトリソグラフィプロセス、レーザ切断プロセス、又はレーザ彫刻プロセスによって形成される請求項１から１３の何れか１項に記載のタッチ装置。
【請求項１５】
前記共通電極層は、第１透明電極層又は金属電極層として、ガラス基板の第１側に形成されており、前記ガラス基板の第２側に第２透明電極層を更に含み、前記複数の第２タッチユニットが前記第２透明電極層に位置して、前記共通電位回路及び前記複数の切替スイッチは、薄膜トランジスタとなる、又は集積回路に位置する請求項１から１４の何れか１項に記載のタッチ装置。
【発明の詳細な説明】
【技術分野】
【０００１】
本開示内容は、タッチ技術に関し、特に、タッチ装置に関する。
【背景技術】
【０００２】
タッチ技術は、極めて直感的な入力方式として、キーの位置の記憶も、入力の目的を達するためにハードウェアを別に設置することも必要ではないため、利用者に対する入力の便利性又は製造コストの点から、他の電子装置による入力技術に比べ、より一層競争力がある。スマートフォン及びタブレットコンピュータの普及に伴い、タッチ技術も入力技術の主流になっている。
【発明の概要】
【発明が解決しようとする課題】
【０００３】
しかしながら、タッチモジュールの設置は、必然的に電子装置の一部の空間を占める。現代的な小型軽量化が求められるハンドヘルド電子装置には、いかなる使用可能な空間もうまく利用することが必要となる。タッチモジュールが大きな便利性をもたらしたが、ハンドヘルド電子装置に余計な空間コストを増加する必要があるので、タッチモジュールがもたらした空間コストによる影響を如何にして最小まで低減するかは、電子装置デザイナーにとってチャレンジとなる。
【０００４】
そのため、上記問題を克服するための新規なタッチ装置を如何に設計するかは、業界で解決しようとする問題であった。
【課題を解決するための手段】
【０００５】
そのため、本開示内容の一態様は、タッチモード及び共通電極モードを有するタッチ装置であって、タッチセンサモジュールと、少なくとも複数の第１タッチユニット、及び第１タッチユニットとタッチセンサモジュールを接続するための複数の第１配線を含む共通電極層と、第１タッチユニットと交錯配列する複数の第２タッチユニットと、第２タッチユニット及びタッチセンサモジュールを接続するための複数の第２配線と、共通電位回路と、それぞれ第１配線と共通電位回路との間に形成されており、タッチモードにおいて入れられ（ｏｐｅｎ）て、タッチ信号を第１タッチユニット及び第２タッチユニットによって検出、誘導し、タッチセンサモジュールに伝送し、タッチの座標、タッチの強度、タッチの変化を判断して、共通電極モードにおいて切られ（ｃｌｏｓｅ）て、各々の第１タッチユニットと共通電位回路とを接続させ、共通電位となる複数の切替スイッチと、を備えるタッチ装置を提供する。
【０００６】
本開示内容の一実施例によると、第２タッチユニットは、共通電極層に位置して、複数の切替スイッチも、第２配線と共通電位回路との間に形成されており、共通電極モードにおいて切られて、各々の第１及び第２タッチユニットと共通電位回路とを接続させ、共通電位となる。
【０００７】
本開示内容の別の実施例によると、タッチ装置は、共通電極モードにおいて複数の表示データ及び複数のゲート駆動信号に基づいて、表示画面を提供する薄膜トランジスタ層を更に含む。第１と第２タッチユニットとの間に、薄膜トランジスタ層の光非透過性領域に対応する空き領域を含む。切替スイッチは、タッチセンサモジュールの外又はタッチセンサモジュールの内に形成されてよい。
【０００８】
本開示内容の更に他の実施例によると、切替スイッチが共通電極モードにおいて切られる場合、各々の第１及び第２タッチユニットが共通電位回路と接続されることで、さらにアース電位に接続される。
【０００９】
本開示内容のさらに１つの実施例によると、各々の第１タッチユニットは、複数の第１タッチ行に分けられ、各々の第１タッチ行における第１タッチユニットが互いに直接に直列連結となり、最外側の第１タッチユニットによって第１配線に接続される。
【００１０】
本開示内容の別に有する一実施例によると、各々の第２タッチユニットは、複数の第２タッチ列に分けられ、第２配線は、複数の延出部及び複数の接続部を含む。延出部は、共通電極層の外へ延出するように、対応的に第２タッチユニットの１つと接続される。接続部は、第２タッチ列の１つの第２タッチユニットが対応する延出部を接続することに用いられ、さらにタッチセンサモジュール及び切替スイッチの１つに接続される。接続部は、共通電極層と平行する薄膜トランジスタ層での共通電位回路に接続される。接続部と延出部は、銀コロイド、金又は銀バンプ、或いは異方性導電接着剤によって共通電位回路に接続される。延出部は、共通電極層の縁まで延出するように、第２タッチユニットの１つと接続するための第１セクションと、第１セクションを接続部に接続する第２セクションと、を含み、且つ第１セクションと第２セクションは、銀コロイド、金又は銀バンプ、或いは異方性導電接着剤によって接続される。
【００１１】
本開示内容の更に有する一実施例によると、各々の第１タッチユニットは、行方向ストリップ状のタッチユニット、三角形に類似したタッチユニット又は交錯配列のタッチユニットである。
【００１２】
本開示内容の一実施例によると、第１タッチユニット及び第２タッチユニットにおいてパターンが形成される。
【００１３】
本開示内容の別の実施例によると、各々の第１タッチユニットは、正方向に配列する三角形であるが、各々の第２タッチユニットは、逆方向に配列する三角形である。各々の正方向の三角形及び各々の逆方向の三角形は、底辺及び階段状構造を含む２つの側辺を備える。
【００１４】
本開示内容の更に他の実施例によると、第１及び第２タッチユニットは、フォトリソグラフィプロセス、レーザ切断プロセス又はレーザ彫刻プロセスによって形成される。
【００１５】
本開示内容のさらに１つの実施例によると、共通電極層は、第１透明電極層又は金属電極層として、ガラス基板の第１側に形成されており、ガラス基板の第２側に第２透明電極層を更に含み、第２タッチユニットが第２透明電極層に位置して、そして、共通電位回路及び切替スイッチは薄膜トランジスタとなり、又は集積回路に位置する。
【００１６】
本開示内容の別に有する一実施例によると、タッチ装置は、形維持ユニットを更に含む。
【００１７】
本開示内容の更に有する一実施例によると、共通電位回路は、共通電圧リード線を含む。
【発明の効果】
【００１８】
本開示内容を応用するメリットとしては、共通電極層においてタッチユニットを形成させ、そしてタッチユニットを切替スイッチによってタッチセンサモジュールまたは共通電位回路に切り替え、共通電極とタッチセンサのメカニズムを両方共に有することで、コストを低減することにあり、上記の目的を容易に達成する。
【図面の簡単な説明】
【００１９】
下記の図面の説明は、本開示内容の上記または他の目的、特徴、メリット及び実施例をよりわかりやすくするためのものである。
【００２０】
【図１】本開示内容の一実施例におけるタッチ装置を示す平面図である
【図２】本開示内容の一実施例におけるタッチ装置を示す立体図である。
【図３Ａ】本開示内容の一実施例におけるタッチ装置を示す平面図である。
【図３Ｂ】本開示内容の一実施例における第２タッチユニットを示す拡大平面図である。
【図３Ｃ】本開示内容の一実施例における第２タッチユニットを示す拡大平面図である。
【図４Ａ】本開示内容の一実施例におけるタッチ装置の第１タッチユニットと第２タッチユニットを示す平面図である。
【図４Ｂ】本開示内容の一実施例におけるタッチ装置の第１タッチユニットと第２タッチユニットを示す平面図である。
【図５】本開示内容の別の実施例におけるタッチ装置を示す立体図である。
【図６】本開示内容の更に他の実施例におけるタッチ装置を示す側面図である。
【発明を実施するための形態】
【００２１】
本開示内容の一実施例におけるタッチ装置１を示す平面図である図１を参照されたい。本実施例において、タッチ装置１は、タッチモードまたは共通電極モードで動作することができる。タッチ装置１は、タッチセンサモジュール１０、共通電極層１２、共通電位回路１４、複数の切替スイッチ１６を備える。
【００２２】
本実施例において、共通電極層１２は、複数の第１タッチユニット１２０、複数の第２タッチユニット１２２、複数の第１配線１２１、複数の第２配線１２３を含む。本実施例において、第１タッチユニット１２０と第２タッチユニット１２２は交錯配列され、それぞれ菱形のタッチユニットである。
【００２３】
本実施例において、第１タッチユニット１２０は、複数の第１タッチ行に分けられ、各々の第１タッチ行における第１タッチユニット１２０が互いに直接に直列連結となり、最外側の第１タッチユニット１２０によって第１配線１２１に接続される。第１配線１２１は、さらに１つの切替スイッチ１６に接続される。
【００２４】
本実施例において、第２タッチユニット１２２は、複数の第２タッチ列に分けられる。第２配線１２３は、それぞれ延出部１２３ａ、接続部１２３ｂを含む。延出部１２３ａは、共通電極層１２の外へ延出するように、対応的に第２タッチユニット１２２と接続される。接続部１２３ｂの一端は、第２タッチ列の１つの第２タッチユニット１２２が対応する延出部１２３ａに接続される。そのため、１つの第２タッチ列における第２タッチユニット１２２は、実質上、延出部１２３ａによって延出した後、接続部１２３ｂにより実際に電気的に直列される。接続部１２３ｂの他端は、さらにタッチセンサモジュール１０及び１つの切替スイッチ１６に接続される。一実施例において、接続部１２３ｂと延出部１２３ａは、銀コロイド、金、銀バンプ、或いは異方性導電接着剤によって接続され、さらにタッチセンサモジュール１０又は共通電位回路１４に接続される。
【００２５】
一実施例において、共通電位回路１４は、外部の回路基板（未図示）に位置してよい。本実施例において、所定の電位に接続されるように、共通電位回路１４は、共通電圧のリード線である。一実施例において、この所定の電位はアース電位である。しかしながら、共通電位回路１４が位置する外部回路基板は、共通電極層１２と同一の平面にある時、異なる第２タッチ列の間の第２タッチユニット１２２が電気的に接続されないように、交錯する延出部１２３ａ及び接続部１２３ｂを注意深く跨ぐ必要がある。
【００２６】
異なる実施例において、切替スイッチ１６は、第１配線１２１、第２配線１２３、及び共通電位回路１４とタッチセンサモジュール１０との間に位置するように、タッチセンサモジュール１０の外に形成されてよく、または、タッチセンサモジュール１０の内部に形成されてよい。
【００２７】
一実施例において、切替スイッチ１６は、タッチモードまたは共通電極モードに切り替えるように、タッチ装置１における制御回路（未図示）によって発生できる切替信号を受信することができる。切替スイッチ１６は、タッチモードにおいて入れられる（ｏｐｅｎ）。そのため、切替スイッチ１６は、タッチモードにおいて、第１タッチユニット１２０及び第２タッチユニット１２２を、共通電位回路１４に接続させずに、第１タッチユニット１２０及び第２タッチユニット１２２に接触するタッチ物（未図示）からのタッチ信号を検出、誘導し、タッチセンサモジュール１０に伝送することで、タッチの座標、タッチの強度、タッチの変化を判断する。
【００２８】
切替スイッチ１６は、共通電極モードにおいて切られる（ｃｌｏｓｅ）。そのため、切替スイッチ１６は、共通電極モードにおいて、各々の第１タッチユニット１２０及び第２タッチユニット１２２を共通電位回路１４に接続させて、共通電位となる。一実施例において、共通電位回路１４は、第１タッチユニット１２０及び第２タッチユニット１２２を共にアース電位に接続させる。
【００２９】
そのため、共通電極層１２は、タッチモードにおいて、共通電極層１２での第１タッチユニット１２０及び第２タッチユニット１２２にタッチ検出を行わせるメカニズムであり、共通電極モードにおいて、共通電極層１２での第１タッチユニット１２０及び第２タッチユニット１２２に共通電位回路１４によって共通電位を実現させるメカニズムであってよい。
【００３０】
本開示内容の一実施例におけるタッチ装置１を示す立体図である図２を参照されたい。本実施例において、タッチ装置１は、共通電極層１２の他、共通電極層１２に対応する薄膜トランジスタ層１１を更に含む。薄膜トランジスタ層１１は、共通電極モードにおいて、複数の表示データ及び複数のゲート駆動信号に基づいて、表示画面を提供する。ただし、表示データ及びゲート駆動信号は、タイミング制御装置、ゲート駆動モジュール、ソース電極駆動モジュール（未図示）によって発生することができる。そのため、このタッチ装置１は、タッチパネルとして、その共通電極層１２がタッチ及び共通電極の両方の効果を共に有することができるメカニズムによって、空間・製造コスト削減の効果に達成することができる。タッチ装置１がタッチパネルである場合、第１タッチユニット１２０及び第２タッチユニット１２２との間に含まれる空き領域１２５は、薄膜トランジスタ層１１の光非透過性領域に対応してよい。
【００３１】
本実施例において、共通電位回路１４は、実質上、薄膜トランジスタ層１１に設けられる。前記したように、共通電位回路１４は、タッチセンサモジュール１０と同一の回路セクション内に統合されてよい。第２配線１２３の延出部１２３ａは、共通電極層１２の縁まで延出するように、第２タッチユニット１２２に接続するための第１セクション２０と、第１セクション２０を接続部１２３ｂに接続する第２セクション２１と、を含み、第１セクション２０と第２セクション２１との間は、銀コロイド、金、銀バンプ、或いは異方性導電接着剤によって接続されてもよい。図２の設計方式によって、延出部１２３ａ及び接続部１２３ｂは、跨ぐ必要がない場合、異なる第２タッチ列の間の第２タッチユニット１２２が電気的に接続される問題を避けることができる。
【００３２】
本開示内容の一実施例におけるタッチ装置１を示す平面図である図３Ａを参照されたい。本実施例において、第１タッチユニット１２０はストリップ状の行方向タッチユニットであり、第２タッチユニット１２２は、本体３０及び延出体３１を有するブロック状のタッチユニットである。第２タッチユニット１２２の本体３０に、方形状又はストリップ状のパターンが形成されてよい。同じように、第１配線１２１及び第２配線１２３も第１タッチユニット１２０と第２タッチユニット１２２を切替スイッチ１６に接続させてよく、切替スイッチ１６によって、さらにタッチセンサモジュール１０と共通電位回路１４との接続を制御して、タッチ検出と共通電位のメカニズムを実現する。図３Ｂ及び図３Ｃを同時に参照されたい。図３Ｂ及び図３Ｃは、それぞれ本開示内容の一実施例における第２タッチユニット１２２を示す拡大平面図である。一実施例において、第２タッチユニット１２２に正方形状、長方形状又は他の形状の透かし彫りパターン３２が図３Ｂ及び図３Ｃのように形成されてよい。同様に、第１タッチユニット１２０にも、透かし彫りパターンが形成されてよく、より一層優れる感知效果を提供する。
【００３３】
本開示内容の一実施例におけるタッチ装置１の第１タッチユニット１２０及び第２タッチユニット１２２を示す平面図である図４Ａ及び図４Ｂを参照されたい。図４Ａの実施例において、第１タッチユニット１２０は、正方向に配列する三角形であるが、第２タッチユニット１２２は、逆方向に配列する三角形である。各々の第１タッチユニット１２０及び第２タッチユニット１２２は、そのタッチ信号がタッチユニットに位置する異なる位置の対応される幅によって感知してよい。そのため、図１の実施例に比べ、第１タッチユニット１２０及び第２タッチユニット１２２の数は大幅に減少する。この場合で、第２タッチユニット１２２の数の減少につれて第２配線１２３の数も低減する。図４Ｂの実施例において、第１タッチユニット１２０も正方向に配列する三角形であり、そして、第２タッチユニット１２２は逆方向に配列する三角形である。三角形は、底辺４０及び２つの側辺４２を含む。本実施例において、三角形の２つの側辺４２は、階段状構造がさらに形成されている。
【００３４】
本開示内容の別の実施例におけるタッチ装置１を示す立体図である図５を参照されたい。本実施例において、共通電極層１２は、第１透明電極層又は金属電極層として、ガラス基板５０の第１側に形成される。ガラス基板５０は、実質上、第２側に第２透明電極層５２を更に含む。
【００３５】
共通電極層１２である第１透明電極層は、所定の方向に沿って延出するストリップ状の第１タッチユニット１２０を含み、第１配線で切替スイッチ１６によって共通電位回路１４又はタッチセンサモジュール１０に接続される。一実施例において、共通電極平面を形成するように、この共通電極層１２での第１タッチユニット１２０は、できる限りに平面全体に敷設される。
【００３６】
第２透明電極層５２には、別の走向の第２タッチユニット１２２が形成されてよい。本実施例において、第２タッチユニット１２２は、選択的に切替スイッチ１６によって共通電位回路１４又はタッチセンサモジュール１０に接続されても、切替スイッチ１６を設置せずに、タッチセンサモジュール１０のみに接続されてもよい。第１の場合では、第２透明電極層５２がまた別の共通電極層とされるが、第２の場合では、第２透明電極層５２はタッチ感知のみに用いられる。
【００３７】
本開示内容の更に他の実施例におけるタッチ装置１を示す側面図である図６を参照されたい。本実施例において、共通電極層１２は、基板６０に形成されてよい。この基板６０は、プラスチック又はガラス基板であってよい。第１タッチユニット１２０及び第２タッチユニット１２２は、フォトリソグラフィプロセス又はレーザ切断、彫刻作成によって形成されてよい。共通電極層１２に、形維持ユニット６２をさらに形成できる。この形維持ユニット６２は、共通電極層１２と共にタッチパッドを形成できる。一実施例において、形維持ユニット６２は保護ガラス又は強化ガラスである。タッチ装置１がタッチディスプレイである場合、形維持ユニット６２はディスプレイに配置されてよく、可視領域より広い範囲を有し、キー領域、タッチ領域等を含んでよく、そして、タッチ装置１の形をより平らにすると共に、保護作用も持たせるように、その内側にインクパターン又はアイコン等が形成されてよい。
【００３８】
そのため、本開示内容のメリットとしては、共通電極層においてタッチユニットを形成させ、そしてタッチユニットを切替スイッチによってタッチセンサモジュールまたは共通電位回路に切り替え、共通電極とタッチセンサのメカニズムを両方共に有することで、コストを低減することにある。そして、本開示内容のタッチ装置は、より一層プロセスの手順を減少して厚さを薄くすることができ、大面積の製造に適合する。
【００３９】
本開示内容を実施形態によって以上のように開示したが、これは本開示内容を限定するものではなく、当業者であれば、本開示内容の精神と範囲から逸脱しない限り、各種の変更及び修飾することができるため、本開示内容の保護範囲は、下記特許請求の範囲で指定した内容を基準とする。
【符号の説明】
【００４０】
１  タッチ装置
１０  タッチセンサモジュール
１１  薄膜トランジスタ層
１２  共通電極層
１２０  第１タッチユニット
１２１  第１配線
１２２  第２タッチユニット
１２３  第２配線
１２３ａ  延出部
１２３ｂ  接続部
１２５  空き領域
１４  共通電位回路
１６  切替スイッチ
２０  第１セクション
２１  第２セクション
３０  本体
３１  延出体
３２  パターン
４０  底辺
４２  側辺
５０  ガラス基板
５２  第２透明電極層
６０  基板
６２  形維持ユニット
【図１】
2013232189.tif 000003
【図２】
2013232189.tif 000004
【図３Ａ】
2013232189.tif 000005
【図３Ｂ】
2013232189.tif 000006
【図３Ｃ】
2013232189.tif 000007
【図４Ａ】
2013232189.tif 000008
【図４Ｂ】
2013232189.tif 000009
【図５】
2013232189.tif 000010
【図６】
2013232189.tif 000011